(57)【要約】【課題】時間的に変化する情報を記録したオブジェクトを適切に表示することのできるオブジェクト表示方法および装置並びにプログラムを提供する。【解決手段】柱状の表示要素である表示体２０をコンピュータが表示する仮想３次元空間に表示するとともに、この表示体２０の軸方向に沿って、時間で変化するオブジェクトを示すオブジェクトシンボル３０を時点毎に表示する。表示体２０は、矢印Ａ、矢印Ｂ、矢印Ｃ、矢印Ｄ、矢印Ｅのいずれの方向へも、移動、回転を行うことができ、オブジェクトシンボル３０を含む表示体２０を仮想３次元空間における任意の視点から俯瞰することできる。【選択図】        図２
2004246745.tif 000002
【特許請求の範囲】
【請求項１】
コンピュータで取り扱うオブジェクトを表示するオブジェクト表示方法において、
柱状の表示要素をコンピュータが表示する仮想３次元空間に表示し、該表示した表示要素内にオブジェクトを示すシンボルを表示することを特徴とするオブジェクト表示方法。
【請求項２】
前記表示要素は、
該表示要素の軸方向の位置で時刻の変化を表すことを特徴とする請求項１記載のオブジェクト表示方法。
【請求項３】
前記表示要素は、
異なる時点を示す複数の表示要素部品が軸方向に連結されて構成されることを特徴とする請求項１記載のオブジェクト表示方法。
【請求項４】
前記シンボルは、
前記表示要素部品に格納されて表示されることを特徴とする請求項３記載のオブジェクト表示方法。
【請求項５】
１のオブジェクトの異なる時点での情報を示す複数のシンボルをそれぞれ対応する時点を示す前記表示要素部品に格納して表示するとともに、該シンボルを集合として表示することを特徴とする請求項４記載のオブジェクト表示方法。
【請求項６】
前記表示要素は、
前記表示要素部品を単位として追加、削除、複製が可能であることを特徴とする請求項３記載のオブジェクト表示方法。
【請求項７】
コンピュータで取り扱うオブジェクトを表示するオブジェクト表示装置において、
柱状の表示要素をコンピュータが表示する仮想３次元空間に表示する表示制御手段と、
前記表示制御手段が表示した表示要素内にオブジェクトを示すシンボルを配置して表示する配置手段と
を具備することを特徴とするオブジェクト表示装置。
【請求項８】
前記表示要素は、
該表示要素の軸方向の位置で時刻の変化を表すことを特徴とする請求項７記載のオブジェクト表示装置。
【請求項９】
前記表示要素は、
異なる時点を示す複数の表示要素部品が軸方向に連結されて構成されることを特徴とする請求項７記載のオブジェクト表示装置。
【請求項１０】
前記配置手段は、
前記シンボルを前記表示要素部品に格納して表示することを特徴とする請求項９記載のオブジェクト表示装置。
【請求項１１】
前記配置手段は、
１のオブジェクトの異なる時点での情報を示す複数のシンボルをそれぞれ対応する時点を示す前記表示要素部品に格納して表示するとともに、該シンボルを集合として表示することを特徴とする請求項１０記載のオブジェクト表示装置。
【請求項１２】
前記表示要素を、前記表示要素部品を単位として追加、削除、複製する編集手段をさらに具備することを特徴とする請求項９記載のオブジェクト表示装置。
【請求項１３】
コンピュータで取り扱うオブジェクトを表示するオブジェクト表示プログラムにおいて、
柱状の表示要素をコンピュータが表示する仮想３次元空間に表示させるとともに、該表示した表示要素内にオブジェクトを示すシンボルを表示させる処理をコンピュータに実行させることを特徴とするオブジェクト表示プログラム。
【請求項１４】
前記表示要素は、
該表示要素の軸方向の位置で時刻の変化を表すことを特徴とする請求項１３記載のオブジェクト表示プログラム。
【請求項１５】
前記表示要素は、
異なる時点を示す複数の表示要素部品が軸方向に連結されて構成されることを特徴とする請求項１３記載のオブジェクト表示プログラム。
【請求項１６】
前記シンボルは、
前記表示要素部品に格納されて表示されることを特徴とする請求項１５記載のオブジェクト表示プログラム。
【請求項１７】
１のオブジェクトの異なる時点での情報を示す複数のシンボルをそれぞれ対応する時点を示す前記表示要素部品に格納して表示するとともに、該シンボルを集合として表示することを特徴とする請求項１６記載のオブジェクト表示プログラム。
【請求項１８】
前記表示要素を、前記表示要素部品を単位として追加、削除、複製する処理をさらにコンピュータに実行させることを特徴とする請求項１５記載のオブジェクト表示プログラム。
【発明の詳細な説明】
【０００１】
【発明の属する技術分野】
この発明は、オブジェクト表示方法および装置並びにプログラムに関し、特に、コンピュータで取り扱うオブジェクトをアイコンやサムネイルで表示するオブジェクト表示方法および装置並びにプログラムに関する。
【０００２】
【従来の技術】
一般に、コンピュータでは、様々な種類の情報をオブジェクトとして取り扱っている。これらオブジェクトは、ＧＵＩ（Ｇｒａｐｈｉｃａｌ  Ｕｓｅｒ  Ｉｎｔｅｒｆａｃｅ）を採用したコンピュータでは、アイコン等のシンボルで画面上に表される。
【０００３】
また、最近では、オブジェクトが画像を表すものである場合等においては、当該画像のサムネイルをアイコンに代わるシンボルとして利用し、オブジェクトを表示することが行われている。
【０００４】
なお、オブジェクトを３次元的に配置して表示するものとして、文書がファイルされた順番を３次元の壁状に表示するものがある（例えば、非特許文献１参照）。
【０００５】
【非特許文献１】
岡田謙一他著「ヒューマンコンピュータインタラクション」情報処理学会編集、Ｏｈｍｓｈａ刊、Ｐ９９−Ｐ１０４
【０００６】
【発明が解決しようとする課題】
ところで、最近では、動画像や版管理を行っている文書など、時間的な変化を表す情報を記録したオブジェクトが多く取り扱われるようになってきている。
【０００７】
このようなオブジェクトをサムネイルを利用して表示した場合、通常は、ある特定の時点（多くは、オブジェクトの開始点）でのサムネイルが利用されることとなり、オブジェクトの内容を的確に表示できるとは限らないことがあった。
【０００８】
また、あるオブジェクトが、他のオブジェクトとの関連に時間的な意味を含む場合であっても、それを表現することはできなかった。
【０００９】
そこで、この発明は、時間的に変化する情報を記録したオブジェクトを適切に表示することのできるオブジェクト表示方法および装置並びにプログラムを提供することを目的とする。
【００１０】
【課題を解決するための手段】
上述した目的を達成するため、請求項１の発明は、コンピュータで取り扱うオブジェクトを表示するオブジェクト表示方法において、柱状の表示要素をコンピュータが表示する仮想３次元空間に表示し、該表示した表示要素内にオブジェクトを示すシンボルを表示することを特徴とする。
【００１１】
また、請求項２の発明は、請求項１の発明において、前記表示要素は、該表示要素の軸方向の位置で時刻の変化を表すことを特徴とする。
【００１２】
また、請求項３の発明は、請求項１の発明において、前記表示要素は、異なる時点を示す複数の表示要素部品が軸方向に連結されて構成されることを特徴とする。
【００１３】
また、請求項４の発明は、請求項３の発明において、前記シンボルは、前記表示要素部品に格納されて表示されることを特徴とする。
【００１４】
また、請求項５の発明は、請求項４の発明において、１のオブジェクトの異なる時点での情報を示す複数のシンボルをそれぞれ対応する時点を示す前記表示要素部品に格納して表示するとともに、該シンボルを集合として表示することを特徴とする。
【００１５】
また、請求項６の発明は、請求項３の発明において、前記表示要素は、前記表示要素部品を単位として追加、削除、複製が可能であることを特徴とする。
【００１６】
また、請求項７の発明は、コンピュータで取り扱うオブジェクトを表示するオブジェクト表示装置において、柱状の表示要素をコンピュータが表示する仮想３次元空間に表示する表示制御手段と、前記表示制御手段が表示した表示要素内にオブジェクトを示すシンボルを配置して表示する配置手段とを具備することを特徴とする。
【００１７】
また、請求項８の発明は、請求項７の発明において、前記表示要素は、該表示要素の軸方向の位置で時刻の変化を表すことを特徴とする。
【００１８】
また、請求項９の発明は、請求項７の発明において、前記表示要素は、異なる時点を示す複数の表示要素部品が軸方向に連結されて構成されることを特徴とする。
【００１９】
また、請求項１０の発明は、請求項９の発明において、前記配置手段は、前記シンボルを前記表示要素部品に格納して表示することを特徴とする。
【００２０】
また、請求項１１の発明は、請求項１０の発明において、前記配置手段は、１のオブジェクトの異なる時点での情報を示す複数のシンボルをそれぞれ対応する時点を示す前記表示要素部品に格納して表示するとともに、該シンボルを集合として表示することを特徴とする。
【００２１】
また、請求項１２の発明は、請求項９の発明において、前記表示要素を、前記表示要素部品を単位として追加、削除、複製する編集手段をさらに具備することを特徴とする。
【００２２】
また、請求項１３の発明は、コンピュータで取り扱うオブジェクトを表示するオブジェクト表示プログラムにおいて、柱状の表示要素をコンピュータが表示する仮想３次元空間に表示させるとともに、該表示した表示要素内にオブジェクトを示すシンボルを表示させる処理をコンピュータに実行させることを特徴とする。
【００２３】
また、請求項１４の発明は、請求項１３の発明において、前記表示要素は、該表示要素の軸方向の位置で時刻の変化を表すことを特徴とする。
【００２４】
また、請求項１５の発明は、請求項１３の発明において、前記表示要素は、異なる時点を示す複数の表示要素部品が軸方向に連結されて構成されることを特徴とする。
【００２５】
また、請求項１６の発明は、請求項１５の発明において、前記シンボルは、前記表示要素部品に格納されて表示されることを特徴とする。
【００２６】
また、請求項１７の発明は、請求項１６の発明において、１のオブジェクトの異なる時点での情報を示す複数のシンボルをそれぞれ対応する時点を示す前記表示要素部品に格納して表示するとともに、該シンボルを集合として表示することを特徴とする。
【００２７】
また、請求項１８の発明は、請求項１５の発明において、前記表示要素を、前記表示要素部品を単位として追加、削除、複製する処理をさらにコンピュータに実行させることを特徴とする。
【００２８】
【発明の実施の形態】
以下、この発明に係るオブジェクト表示方法および装置並びにプログラムの一実施の形態について、添付図面を参照して、詳細に説明する。
【００２９】
図１は、この発明を適用したオブジェクト表示装置の機能的な構成を示すブロック図である。同図に示すように、オブジェクト表示装置１０は、操作指示受付部１１と処理実行部１２、オブジェクト管理部１３、表示属性管理部１４、座標算出部１５、表示情報生成部１６、表示情報出力部１７を具備して構成される。
【００３０】
操作指示受付部１１は、ユーザによる操作指示を受け付ける。処理実行部１２は、操作指示受付部１１が受け付けた操作指示に基づいて、オブジェクトの格納場所の移動や削除、コピー等の処理を実行する。オブジェクト管理部１３は、表示するオブジェクトの実体を管理する。表示属性管理部１４は、オブジェクトおよび他の表示要素の座標等の表示属性を管理する。座標算出部１５は、オブジェクトが新たに格納された場合や移動された場合に、オブジェクト表示を行うための座標を算出する。表示情報生成部１６は、表示属性管理部１４が管理する表示属性に基づいて、オブジェクトおよび他の表示要素を画面に表示するための表示情報を生成する。表示情報出力部１７は、表示情報生成部１６が生成した表示情報を図示しないディスプレイ等の表示手段に出力する。
【００３１】
なお、オブジェクト表示装置は、コンピュータおよびこれを動作させるプログラムにより構成される。このため、オブジェクト表示装置は、プログラムを作成する言語や手法により、必ずしも図１に示した構成と同様の構成を取るとは限らず、以下に説明するオブジェクト表示処理を実行することができれば、どのような構成であってもよい。
【００３２】
次に、オブジェクト表示装置１０によるオブジェクトの表示例について説明する。図２は、オブジェクト表示の概観を示した図である。同図に示すように、オブジェクト表示装置１０は、円柱状の表示体２０を３次元表示し、表示体２０の内部にオブジェクトを示すオブジェクトシンボル３０を格納する。表示体２０は、内部にオブジェクトシンボル３０を格納するため、半透明で表示される。
【００３３】
また、表示体２０は、同図中に示す矢印Ａ、矢印Ｂ、矢印Ｃ、矢印Ｄ、矢印Ｅ、矢印Ｆのいずれの方向への移動、回転が可能である。つまり、３次元表示された表示体２０は、視点を任意の角度に設定しての表示が可能である。
【００３４】
次に、表示体２０について説明する。図３は、表示体２０を説明するための図である。表示体２０は、同図（ａ）に示すように、円柱状の表示要素であり、その軸方向、つまり、同図中に示す矢印Ｇの方向が時間や推移、順序等のいずれかの変化を表している。ただし、軸方向の長さは、必ずしも時間等に比例しているわけではない。
【００３５】
また、表示体２０は、図３（ｂ）に示すように、複数の表示体構成部２１が連結されることで構成されている。そして、オブジェクトシンボル３０は、図３（ｃ）に示すように、表示体構成部２１に格納される。１つの表示体構成部２１は、ある時点を表しており、同一の表示体構成部２１に格納されるオブジェクトシンボル３０は、全て同じ時点でのオブジェクトを表すこととなる。
【００３６】
また、表示体２０として連結された際に、隣り合う表示体構成部２１は、一定の時間差を有するとは限らない。例えば、ある表示体構成部２１とこれに隣接する表示体構成部２１のそれぞれが示す時点の時間差が１秒であったとしても、他の表示体構成部２１とこれに隣接する表示体構成部２１のそれぞれが示す時点の時間差が１日といった場合もある。
【００３７】
続いて、表示体構成部２１へのオブジェクトシンボル３０の格納について説明する。図４は、表示体構成部２１へのオブジェクトシンボル３０の格納を説明するための図である。
【００３８】
図４（ａ）に示すように、表示体構成部２１へは、複数のオブジェクトシンボル３０−１、３０−２、３０−３、３０−４が格納可能である。また、オブジェクト間にリンクが設定されている場合、例えば、オブジェクトシンボル３０−１が示すオブジェクトとオブジェクトシンボル３０−３が示すオブジェクトとにリンクが設定されていると、両者を接続するライン３１が併せて表示される。
【００３９】
また、表示体構成部２１へ格納するオブジェクトシンボル３０の数が多い場合等には、表示体構成部２１の径を大きくして表示することができる。例えば、図４（ｂ）に示すように、表示体構成部２１−１の径を大きくし、表示体構成部２１−２のようにすることができる。
【００４０】
次に、複数の表示体構成部２１間のオブジェクトシンボル３０の関係について説明する。図５は、複数の表示体構成部２１間のオブジェクトシンボル３０の関係を説明するための図である。
【００４１】
複数の表示体構成部２１は、上述したように、それぞれ異なる時点を示すものであり、そこに格納されるオブジェクトシンボル３０もそれぞれ異なる時点を示すものとなる。したがって、同一のオブジェクトを複数のオブジェクトシンボル３０で表示することがある。例えば、オブジェクトが動画像を記録したものであれば、オブジェクトシンボル３０としてサムネイルを利用すれば、各時点において、異なるサムネイルが利用された複数のオブジェクトシンボル３０が存在することとなる。オブジェクト表示装置１０は、このようなオブジェクトシンボル３０を一連のものとして、図５に示すような集合体４０として表示する。この集合体４０は、複数の表示構成部２１に渡って表示され、内部に複数のオブジェクトシンボル３０を保持している。なお、図５（ａ）は、集合体４０を概念的に示した図であり、図５（ｂ）は、集合体４０を３次元表示した一例を示した図である。
【００４２】
ところで、オブジェクト表示装置１０は、表示体２０を表示するための様々な機能を有している。ここで、オブジェクト表示装置１０が有する表示機能を数例説明する。図６乃至図１０は、オブジェクト表示装置１０が有する表示機能を説明するための図である。
【００４３】
まず、図６（ａ）に示すように、複数の表示体構成部２１で構成される表示体を表示している際に、拡大等の操作（図２に示した矢印Ｆ方向への操作）により、図中に破線で囲った部分のみが表示されることとなったとする。この場合、操作者は、表示体２０のどの部分を参照しているかが不明となる可能性が高い。このため、図６（ｂ）に示すように、表示画面中に表示体２０を構成する表示体２１の数に応じた位置表示５０を表示し、現在表示している部分にを示す現在位置表示点５１を位置表示５０中に表示する。
【００４４】
また、図７（ａ）および図７（ｂ）に示すように、表示体２０の（円柱の）軸方向の大きさを変更するために、ストレッチバー５２とつまみ５３を表示する。つまみ５３は、ストレッチバー５２上で移動させることができ、例えば、右に動かすと表示体２０が軸方向に拡大され、左に動かすと表示体２０が軸方向に縮小されるようにすることができる。なお、図７（ａ）と図７（ｂ）は、それぞれつまみ５３の位置が異なる場合の表示体２０の表示例を示している。
【００４５】
また、図８に示すように、選択した表示体構成部２１を上部にポップアップして表示することができる。表示体構成部２１がポップアップしている状態で、オブジェクトシンボル３０に対して特定の操作（例えば、マウスによる選択とダブルクリック）を行うことで、オブジェクトシンボル３０が示すファイルやＵＲＬ等へのアクセスを行うことができる。なお、表示体構成部２１がポップアップしているときは、上述の現在位置表示点５１が位置表示５０の上部に移動し、視点がポップアップした表示体２１の中にあることがわかる。
【００４６】
また、図９（ａ）および図９（ｂ）に示すように、オブジェクトシンボル３０の上部に各オブジェクトシンボル３０に対応するキャプション５４を表示することができる。このキャプション５４は、画面に表示されるスイッチ等で切り替えることにより、表示、非表示を選択できる。
【００４７】
また、図１０に示すように、オブジェクトシンボル３０−５を適当な範囲で動作させ、操作者の注意を引くようにすることができる。これは、議論等が行われているオブジェクトで、その議論の熱いものを表示する際等に有用である。
【００４８】
この他にも、オブジェクトシンボル３０を選択して、表示体構成部２１内の自由な位置に配置したり、予めプリセットされた視点を用意しておき、キーボード等の操作で、各視点を巡回することができる。このとき、巡回の動作をアニメーションにより滑らかにつなげて表示することもできる。
【００４９】
さて、オブジェクト表示装置１０は、上述したような表示を行うための表示情報を表示情報生成部１６で生成するが、この表示情報は、表示属性管理部１４が管理する表示属性に基づいて生成される。なお、表示情報生成部１６が生成する表示情報は、オブジェクト表示装置１０に特有の形式であってもよく、ＶＲＭＬ（Ｖｉｒｔｕａｌ  Ｒｅａｌｉｔｙ  Ｍｏｄｅｌｉｎｇ  Ｌａｎｇｕａｇｅ）等の汎用の形式であってもよい。
【００５０】
ここで、表示属性管理部１４が管理する表示属性について説明する。図１１は、表示属性を説明するための図である。
【００５１】
同図に示すように、表示属性管理部１４は、表示体２０の表示属性である属性１２０と表示体構成部２１の表示属性である属性１２１（１２１−１〜１２１−３）、オブジェクトシンボル３０の表示属性である属性１３０（１３０−１〜１３０−７）を親子構造として管理する。
【００５２】
属性１２０は、表示体２０の原点となる位置の座標値と表示体２０を構成する表示体構成部２１を特定する情報を有している。属性１２１は、表示体２０に対する表示体構成部２１の相対座標と、内包するオブジェクトシンボル３０を特定する情報を有している。属性１３０は、表示体構成部２１に対するオブジェクトシンボル３０の相対座標と、対応するオブジェクトの情報、表示するサムネイル、アイコン等の画像情報を有している。
【００５３】
また、表示属性管理部１４は、オブジェクト間に設定されたリンクを示すリンク情報１３１（１３１−１、１３１−２）と、集合体４０を構成するオブジェクトを特定する集合情報１４０を併せて有している。
【００５４】
次に、オブジェクト表示装置１０による具体的な表示例を数例説明する。
【００５５】
図１２は、版管理を行っている文書のオブジェクトを表示した表示例を示した図である。同図に示すように、表示体２２０は、オブジェクトシンボル２３０（２３０−１〜２３０−５）を含む集合体２４０が内包されて、表示されている。各オブジェクトシンボル２３０は、文書のサムネイルで表されており、当該文書は、各版毎に追加、修正個所を赤色で表示している。これにより、オブジェクトシンボル２３０で表される文書の変遷を容易に把握することができる。
【００５６】
図１３は、講演を記録したオブジェクトを表示した表示例を示した図である。同図に示すように、表示体３２０は、オブジェクトシンボル３３０（３３０−１〜３３０−５）を含む集合体３４０と、オブジェクトシンボル３３０−６が内包されて、表示されている。集合体３４０に含まれる各オブジェクトシンボル３３０は、講演を撮影した映像の各時点でのサムネイルが表示されている。また、オブジェクトシンボル３３０−６は、オブジェクトシンボル３３０−３が示す時点で提示された資料のオブジェクトを示しており、オブジェクトシンボル３３０−３とオブジェクトシンボル３３０−６は、リンクが設定されていることを示すライン３３１で接続されている。これにより、講演の模様を容易に再現することができる。
【００５７】
図１４は、会議を記録したオブジェクトを表示した表示例である。同図に示すように、表示体４２０は、複数の集合体４４０（４４０−１〜４４０−３）を内包して表示されている。各集合体４４０は、各々異なる角度で会議の状態を撮影した映像を記録したオブジェクトに対応している。これにより、複数の映像をそれぞれ関連付けて理解することが容易となる。
【００５８】
最後に、オブジェクト表示装置１０による表示の応用例を説明する。上述したように、オブジェクト表示装置１０は、時間等によって変化する情報を含む複数のオブジェクトを３次元で表示することができる。このため、例えば、大学等の講義における教材をオブジェクトとして保存した場合には、各学生が自身が受講した講義に関連するオブジェクトを一連のまとまりとして管理することができる。このような利用は、表示体２０を編集することで可能である。例えば、図１５（ａ）に示す表示体５２０を構成する表示構成部５２０−１、５２０−５、５２０−６と、図１５（ｂ）に示す表示体６２０を構成する表示構成部６２０−２、６２０−３、６２０−８を図１５（ｃ）に示す別の表示体７２０にコピーするといった方法で編集を行う。もちろん、表示体２０は、表示体構成部２１を単位として追加や削除等の編集を行うこともできる。
【００５９】
なお、この他にも、表示体構成部２１に割り当てられた時間に応じてマルチメディアオブジェクトの始点と終点を指定することにより途中から再生を行う等のことができる。
【００６０】
また、オブジェクト表示装置１０の技術は、ソフトウェアのバージョン管理やデバッガなどへ応用することもできる。
【００６１】
【発明の効果】
以上説明したように、この発明によれば、柱状の表示要素をコンピュータが表示する仮想３次元空間に表示するとともに、この表示要素の軸方向に沿って、時間で変化するオブジェクトを示すシンボルを時点毎に表示するように構成したので、文書や文書群の成長過程や、文書の関係、動画像等を容易に認識することが可能である。
【図面の簡単な説明】
【図１】この発明を適用したオブジェクト表示装置の機能的な構成を示すブロック図である。
【図２】オブジェクト表示の概観を示した図である。
【図３】表示体２０を説明するための図である。
【図４】表示体構成部２１へのオブジェクトシンボル３０の格納を説明するための図である。
【図５】複数の表示体構成部２１間のオブジェクトシンボル３０の関係を説明するための図である。
【図６】オブジェクト表示装置１０が有する表示機能を説明するための図（１）である。
【図７】オブジェクト表示装置１０が有する表示機能を説明するための図（２）である。
【図８】オブジェクト表示装置１０が有する表示機能を説明するための図（３）である。
【図９】オブジェクト表示装置１０が有する表示機能を説明するための図（４）である。
【図１０】オブジェクト表示装置１０が有する表示機能を説明するための図（５）である。
【図１１】表示属性を説明するための図である。
【図１２】版管理を行っている文書のオブジェクトを表示した表示例を示した図である。
【図１３】講演を記録したオブジェクトを表示した表示例を示した図である。
【図１４】会議を記録したオブジェクトを表示した表示例である。
【図１５】表示体２０の編集例を示した図である。
【符号の説明】
１０    オブジェクト表示装置
１１    操作指示受付部
１２    処理実行部
１３    オブジェクト管理部
１４    表示属性管理部
１５    座標算出部
１６    表示情報生成部
１７    表示情報出力部
２０    表示体
２１、２１−１、２１−２    表示体構成部
３０、３０−１〜３０−５    オブジェクトシンボル
３１    ライン
４０    集合体
５０    位置表示
５１    現在位置表示点
５２    ストレッチバー
５３    つまみ
５４    キャプション
１２０    属性
１２１−１〜１２１−３    属性
１３０−１〜１３０−７    属性
１３１−１、１３１−２    リンク情報
１４０    集合情報
２２０    表示体
２３０−１〜２３０−５    オブジェクトシンボル
２４０    集合体
３２０    表示体
３３０−１〜３３０−６    オブジェクトシンボル
３３１    ライン
３４０    集合体
４２０    表示体
４４０−１〜４４０−３    集合体
５２０    表示体
５２１−１〜５２１−６    表示体構成部
６２０    表示体
６２１−１〜６２１−８    表示体構成部
７２０    表示体
Ａ、Ｂ、Ｃ、Ｄ、Ｅ、Ｆ、Ｇ    矢印
【図１】
2004246745.tif 000003
【図２】
2004246745.tif 000004
【図３】
2004246745.tif 000005
【図４】
2004246745.tif 000006
【図５】
2004246745.tif 000007
【図６】
2004246745.tif 000008
【図７】
2004246745.tif 000009
【図８】
2004246745.tif 000010
【図９】
2004246745.tif 000011
【図１０】
2004246745.tif 000012
【図１１】
2004246745.tif 000013
【図１２】
2004246745.tif 000014
【図１３】
2004246745.tif 000015
【図１４】
2004246745.tif 000016
【図１５】
2004246745.tif 000017